(57)【要約】【課題】画像形成装置において、装置の大型化や、コストアップを招くことなく、像担持体に付着される廃現像剤の回収率を向上する。【解決手段】カラーレーザプリンタ１は、現像ユニット５１Ｍ，５１Ｃ，５１Ｙ，５１Ｂｋにて、現像ローラ５２Ｍ，５２Ｃ，５２Ｙ，５２Ｂｋを介して、感光体ドラム３Ｍ，３Ｃ，３Ｙ，３Ｂｋに形成された静電潜像を現像し、トナー像を順次形成して４色画像を形成する。また、現像ローラ５２Ｍ，５２Ｃ，５２Ｙ，５２Ｂｋが、バネ部材２１，２２，２３，２４によりトナー像を形成する順番に大きい押圧力で押圧されて、感光体ドラム３Ｍ，３Ｃ，３Ｙ，３Ｂｋに弾性変形して接触し、押圧力に応じて大きい幅のニップ部が形成される。そして、このニップ部にて、静電潜像を現像する際に、感光体ドラム３Ｍ，３Ｃ，３Ｙ，３Ｂｋの静電潜像以外に付着している現像剤を回収する。【選択図】図１
2005208146.tif 000002
【特許請求の範囲】
【請求項１】
静電潜像が表面に形成される像担持体と、
所定の色の現像剤を担持し、弾性を有する現像剤担持体と、該現像剤担持体を前記像担持体へ押圧する押圧手段とを有し、前記押圧手段によって前記現像剤担持体を前記像担持体へ押圧しつつ、相対移動させることによって、前記静電潜像を現像剤により現像するよう構成された複数の現像ユニットと、
を備え、前記各現像ユニットによって静電潜像を現像することにより像担持体に現像剤像を順次形成し、該現像剤像を被転写部材に重ねて転写して多色画像を形成する画像形成装置において、
前記各現像ユニットは、前記静電潜像を現像する際に、前記現像剤担持体が弾性変形して前記像担持体に接触するニップ部にて、前記静電潜像以外の前記像担持体表面に付着している現像剤を回収するよう構成され、
現像剤像を形成する順番が２番目以降の現像ユニットの少なくとも１つは、前記ニップ部における現像剤担持体の前記像担持体に対する移動方向の幅であるニップ幅が、現像剤像を形成する順番が１番目の現像ユニットのニップ幅より大きくなるよう構成されることを特徴とする記載の画像形成装置。
【請求項２】
静電潜像が表面に形成される像担持体と、
所定の色の現像剤を担持し、弾性を有する現像剤担持体と、該現像剤担持体を前記像担持体へ押圧する押圧手段とを有し、前記押圧手段によって前記現像剤担持体を前記像担持体へ押圧しつつ、相対移動させることによって、前記静電潜像を現像剤により現像するよう構成された複数の現像ユニットと、
を備え、前記各現像ユニットによって静電潜像を現像することにより像担持体に現像剤像を順次形成し、該現像剤像を被転写部材に重ねて転写して多色画像を形成する画像形成装置において、
前記各現像ユニットは、前記静電潜像を現像する際に、前記現像剤担持体が弾性変形して前記像担持体に接触するニップ部にて、前記静電潜像以外の前記像担持体表面に付着している現像剤を回収するよう構成され、
現像剤像を形成する順番が最後の現像ユニットは、前記ニップ部における現像剤担持体の前記像担持体に対する移動方向の幅であるニップ幅が、現像剤像を形成する順番が１番目の現像ユニットのニップ幅より大きくなるよう構成されることを特徴とする記載の画像形成装置。
【請求項３】
当該画像形成装置は、前記現像ユニットを３個以上備え、
前記２番目以降の現像ユニット各々は、前記ニップ幅が、前記１番目の現像ユニットのニップ幅より大きくなるよう構成される、
ことを特徴とする請求項１又は請求項２に記載の画像形成装置。
【請求項４】
現像剤像を形成する順番が最後の現像ユニットは、
前記ニップ幅が、他の現像ユニットのニップ幅より大きくなるよう構成されることを特徴とする請求項１〜請求項３のいずれかに記載の画像形成装置。
【請求項５】
前記各現像ユニットは、
現像剤像を形成する順番が後の程、前記ニップ幅が大きくなるよう構成されることを特徴とする請求項１〜請求項４のいずれかに記載の画像形成装置。
【請求項６】
前記２番目以降の現像ユニットの少なくとも１つは、前記現像剤担持体が黒色の現像剤を担持し、静電潜像を黒色の現像剤により現像するよう構成され、
該黒色の現像剤により静電潜像を現像する現像ユニットは、前記ニップ幅が、他の現像ユニットのニップ幅より大きくなるよう構成される、
ことを特徴とする請求項１〜請求項３のいずれかに記載の画像形成装置。
【請求項７】
前記各現像ユニットは、
他の現像ユニットと比べて前記ニップ幅が大きいほど、前記押圧手段による押圧力が大きいことを特徴とする請求項１〜請求項６のいずれかに記載の画像形成装置。
【請求項８】
前記各現像ユニットは、
他の現像ユニットと比べて前記ニップ幅が大きいほど、前記現像剤担持体の弾性率が小さいことを特徴とする請求項１〜請求項７のいずれかに記載の画像形成装置。
【請求項９】
前記各現像ユニットは、前記現像剤担持体と前記像担持体との間にバイアス電圧を印加するバイアス印加手段を備え、前記押圧手段によって前記現像剤担持体を前記像担持体へ押圧しつつ、相対移動させ、該バイアス印加手段にて該バイアス電圧を印加することによって、前記複数の静電潜像の内の１つを現像剤により現像するよう構成され、
前記２番目以降の現像ユニットに備えられる前記バイアス印加手段の少なくとも１つは、印加するバイアス電圧が、前記１番目の現像ユニットの前記バイアス印加手段にて印加されるバイアス電圧より低い、
ことを特徴とする請求項１〜請求項８に記載の画像形成装置。
【請求項１０】
前記２番目以降の現像ユニットの少なくとも一つは、前記現像剤担持体が黒色の現像剤を担持し、静電潜像を黒色の現像剤により現像するよう構成され、
該黒色の現像剤により静電潜像を現像する現像ユニットに備えられる前記バイアス印加手段は、印加するバイアス電圧が、他の現像ユニットの前記バイアス印加手段にて印加されるバイアス電圧より低い、
ことを特徴とする請求項９に記載の画像形成装置。
【請求項１１】
前記各現像ユニットに備えられるバイアス印加手段は、
他の現像ユニットと比べてニップ幅が大きいほど、印加するバイアス電圧が低いことを特徴とする請求項９又は請求項１０に記載の画像形成装置。
【請求項１２】
前記現像ユニットは、像担持体上の現像剤像が被転写部材に転写された後に像担持体上に残留している現像剤を、当該現像ユニットに回収すると同時に、像担持体上の静電潜像に現像剤を供給して現像を行う、現像同時クリーニング方式を行うことを特徴とする請求項１〜請求項１１のいずれかに記載の画像形成装置。
【請求項１３】
静電潜像が表面に形成される像担持体と、
所定の色の現像剤を担持し、弾性を有する現像剤担持体と、該現像剤担持体を前記像担持体へ押圧する押圧手段とを有し、前記押圧手段によって前記現像剤担持体を前記像担持体へ押圧しつつ、相対移動させることによって、前記静電潜像を現像剤により現像するよう構成された複数の現像ユニットと、
を備え、前記各現像ユニットによって静電潜像を現像することにより像担持体に現像剤像を順次形成し、該現像剤像を被転写部材に重ねて転写して多色画像を形成する画像形成装置において、
前記各現像ユニットは、前記静電潜像を現像する際に、前記現像剤担持体と前記像担持体とが接触するニップ部にて、前記静電潜像以外の前記像担持体表面に付着している現像剤を回収するよう構成され、
現像剤像を形成する順番が２番目以降の現像ユニットの少なくとも１つは、前記押圧手段による現像剤担持体の前記像担持体に対する押圧力が、現像剤像を形成する順番が１番目の現像ユニットの押圧力より大きくなるよう構成されることを特徴とする画像形成装置。
【発明の詳細な説明】
【技術分野】
【０００１】
本発明は、複数の現像ユニットによって像担持体に順次形成される現像剤像を被転写部材に重ねて転写して多色画像を形成する画像形成装置に関する。
【背景技術】
【０００２】
従来、静電潜像が形成される複数の像担持体（いわゆる４サイクル方式であれば、１つの像担持体）の表面に、複数の現像ユニット各々によって現像剤像を順次形成し、この現像剤像を用紙や中間転写体などの被転写部材に順次重ねて転写して多色画像を形成する画像形成装置が知られている。
【０００３】
このような画像形成装置においては、像担持体に形成された現像剤像が被転写部材へ転写される際に、この現像剤像を形成している現像剤の一部が、転写されずに像担持体に残ったままとなる。このような現像剤像が転写された後の像担持体に付着している現像剤（廃現像剤）は、像担持体の一周後に、本来の画像以外の箇所に転写される“かぶり”となって、形成される画像に悪影響を及ぼす。このような廃現像剤による画像への悪影響を防ぐために、廃現像剤を掻き取るためのクリーナが像担持体に対向する位置に設けられた画像形成装置が知られている。
【０００４】
そして、このクリーナを用いずに装置の小型化及びコストダウンを図ったものとして、現像ユニットにて、像担持体表面の静電潜像を現像するのと同時に、静電潜像以外の箇所に付着した廃現像剤を像担持体から回収する現像同時クリーニング方式を採用した画像形成装置が知られている（例えば、特許文献１等を参照）。
【０００５】
尚、この現像同時クリーニング方式は、像担持体表面の静電潜像以外の箇所が現像ユニットより電位が高くなることを利用して、静電潜像以外に付着している廃現像剤を現像ユニットにより吸着して回収する方法である。
【特許文献１】特許第３１５４７５７号公報
【発明の開示】
【発明が解決しようとする課題】
【０００６】
ところで、画像形成装置にて多色画像を形成する場合、現像剤像を被転写部材へ転写する順番が２番目以降の像担持体には、廃現像剤として、転写残りにより付着している現像剤の他に、逆転写により付着される現像剤もあることが新たに判明している。
【０００７】
尚、この逆転写とは、像担持体から被転写部材に転写された現像剤像の一部に、現像ユニットにて帯電される極性とは逆極性に帯電された現像剤（逆帯電現像剤）が生じるため、現像剤像が形成される順番が２番目以降の像担持体にて被転写部材に現像剤像が転写される際に、この逆帯電現像剤が、通常の転写とは逆方向の被転写部材から像担持体へ転写されることである。
【０００８】
しかし、従来、クリーナや、同時クリーニング方式を用いた画像形成装置においては、逆転写により付着される廃現像剤の分まで回収することは考慮されていなかった。このため、このような画像形成装置では、像担持体にて逆転写により付着される分だけ多く廃現像剤が付着されるため、廃現像剤の回収漏れが発生してしまい、この廃現像剤がかぶりとなって画像に悪影響を及ぼすという問題が生じている。
【０００９】
この問題を改善するために、同時クリーニング方式のものにクリーナを設けて、像担持体に付着した廃現像剤の回収率を上げることが考えられる。しかし、クリーナを追加すると、装置の大型化、コストアップにつながるという問題がある。
【００１０】
本発明は、こうした問題点に鑑みなされたものであり、上述のような画像形成装置において、装置の大型化や、コストアップを招くことなく、像担持体に付着されている廃現像剤の回収率を向上して、廃現像剤による画像への悪影響を防止することを目的とする。
【課題を解決するための手段】
【００１１】
かかる目的を達成するためになされた請求項１に記載の画像形成装置においては、表面に静電潜像が形成される像担持体と共に、所定の色の現像剤を担持し、弾性を有する現像剤担持体と、この現像剤担持体を像担持体へ押圧する押圧手段とを有する複数の現像ユニットを備え、押圧手段によって現像剤担持体を像担持体へ押圧しつつ、相対移動させることによって静電潜像を現像剤により現像し、この現像ユニット各々にて静電潜像を現像することにより像担持体に現像剤像を順次形成し、この現像剤像を被転写部材に重ねて転写して多色画像を形成する。
【００１２】
そして、各現像ユニットが、静電潜像を現像する際に、現像剤担持体が弾性変形して像担持体に接触するニップ部にて、静電潜像以外の像担持体表面に付着している現像剤を回収する。
【００１３】
また、現像剤像を形成する順番が２番目以降の現像ユニット（以降２番目以降の現像ユニットと呼ぶ。）の少なくとも１つは、ニップ部における現像剤担持体の像担持体に対する移動方向の幅であるニップ幅が、現像剤像を形成する順番が１番目の現像ユニット（以降１番目の現像ユニットと呼ぶ。）のニップ幅より大きくなるよう構成されている。
【００１４】
このようにニップ幅を大きくすることにより、像担持体と現像剤担持体との接触面積が広がるため現像ユニットのニップ部にて回収される廃現像剤の回収率を高くできる。
尚、このような多色画像を形成する画像形成装置においては、現像剤像が形成される順番が１番目の像担持体（以降１番目の像担持体と呼ぶ。）には、廃現像剤として、転写残りによる現像剤が付着しているだけであるが、現像剤像が形成される順番が２番目以降の像担持体（以降２番目以降の像担持体と呼ぶ。）には、転写残により付着している現像剤の他に、被転写部材に転写された現像剤像の一部に生じた逆帯電現像剤が逆転写されて付着している。このため、２番目以降の像担持体の方が、１番目の像担持体より多く廃現像剤が付着している。
【００１５】
この結果、本発明の画像形成装置によれば、廃現像剤が多く付着される２番目以降の像担持体のいずれかに対して、廃現像剤の回収率が高い現像ユニットにより廃現像剤を回収することができる。これにより、廃現像剤が、現像ユニットにより回収されずに、かぶりとなって画像へ悪影響を及ぼすことを防止できる。
【００１６】
また、本発明の画像形成装置は、ニップ部を形成するための構成要素（例えば、押圧手段としてのバネなど）の軽微な変更だけで、廃現像剤の回収率を向上することができる。
また、少なくとも１番目の現像ユニットは、ニップ幅を大きくした２番目以降の現像ユニットよりニップ幅が小さい。よって、ニップ幅が小さい分、１番目の現像ユニットのニップ部を形成するための押圧手段を押圧力が小さいものにできる。これにより、本発明の画像形成装置は、現像ユニット各々のニップ幅を一律に大きくする場合に比べて、構造強度が低いもので良く、装置を小型化又は簡略化できる。
【００１７】
一方、請求項２に記載の画像形成装置においては、請求項１に記載の画像形成装置と比べて、ニップ部のニップ幅が、１番目の現像ユニットのニップ幅より、現像剤像を形成する順番が最後の現像ユニット（以降最後の現像ユニットと呼ぶ。）のニップ幅が大きくなるよう構成されている。
【００１８】
尚、このような多色画像を形成する画像形成装置において、先に述べた通り、２番目以降の像担持体では逆帯電現像剤が逆転写して付着される。そして、被転写部材に転写された現像剤像が多いほど、被転写部材にて生じる逆帯電現像剤の量が多くなるため、現像剤像が形成される順番が最後の像担持体（以降最後の像担持体と呼ぶ。）に付着する廃現像剤の量が、１番目の像担持体より確実に多い。
【００１９】
この結果、本発明の画像形成装置によれば、請求項１に記載の発明と同様に、１番目の像担持体より廃現像剤が多く付着される最後の像担持体に対して、廃現像剤の回収率が高い現像ユニットにより廃現像剤を回収することができる。これにより、廃現像剤が、現像ユニットにより回収されずにかぶりとなって画像へ悪影響を及ぼすことを防止できる。
【００２０】
また、請求項１又は請求項２に記載の画像形成装置において、現像ユニットを３個以上備える画像形成装置では、２番目以降の現像ユニットにて、最後の現像ユニット又はいずれか１つでもニップ幅を１番目の現像ユニットより大きくすれば、本発明の効果を得ることができるが、２番目以降の像担持体には、いずれも逆転写による現像剤が付着するため、請求項３に記載のように、２番目以降の現像ユニット各々のニップ幅が、１番目の現像ユニットのニップ幅より大きくなるように構成すると更に良い。
【００２１】
つまり、このように構成すれば、２番目以降の現像ユニット全ての廃現像剤の回収率を向上することができ、逆転写により付着する分廃現像剤が多い２番目以降の像担持体に対して、廃現像剤の回収率が高い現像ユニットにより現像剤像を回収することができる。これにより、廃現像剤が、現像ユニットにより回収されずにかぶりとなって画像へ悪影響を及ぼすことを防止できる。
【００２２】
また、請求項１〜請求項３に記載の画像形成装置において、像担持体にて現像剤像を転写する際の被転写部材に転写されている現像剤像は、最後の像担持体にて現像剤像を転写する際が一番多い。そして、被転写部材に転写されている現像剤像が多いほど、像担持体へ逆転写する逆帯電現像剤が多くなるため、逆転写により付着される廃現像剤が、最後の像担持体にて一番多い。このため、請求項４に記載の画像形成装置のように、現像剤像を形成する順番が最後の現像ユニットのニップ幅を、他の現像ユニットのニップ幅より大きくなるように構成すると良い。
【００２３】
つまり、このように構成すれば、逆転写による廃現像剤が一番多くなる最後の像担持体にて現像剤像を形成する現像ユニットを、廃現像剤の回収率が一番高いものにできる。これにより、廃現像剤の量が多いため回収漏れが発生しやすい最後の現像ユニットにて、廃現像剤が回収されずにかぶりとなって画像へ悪影響を及ぼすことを防止できる。
【００２４】
また、請求項１〜請求項４に記載の画像形成装置においては、現像剤像が形成される順番が後になる程、被転写部材に転写される現像剤が増え、逆転写により像担持体に付着される廃現像剤の量が多くなることから、請求項５に記載のように、現像剤像を形成する順番が後の程、各現像ユニットのニップ幅が大きくなるよう構成すると良い。
【００２５】
つまり、このように構成すれば、現像剤像を形成する順番が後の現像ユニットほど廃現像剤の回収率が高いものにでき、現像剤像を形成する順番が後の像担持体ほど増える廃現像剤に対して、効率的に回収してかぶりによる画像への悪影響を防止することができる。
【００２６】
また、請求項１〜請求項３に記載の画像形成装置において、２番目以降の現像ユニットの少なくとも１つが、黒色の現像剤を担持する像担持体を備え、静電潜像を黒色の現像剤により現像するよう構成される場合、黒色を現像する現像ユニットでは、逆転写により付着した他の色の廃現像剤が、現像ユニットにて現像しようとする現像剤（黒色）に混入してしまっても目立たないため、形成される画像への影響は少ない。
【００２７】
このため、請求項１〜請求項３に記載の画像形成装置においては、請求項６に記載のように、黒色の現像剤により静電潜像を現像する現像ユニットのニップ幅が、他の現像ユニットのニップ幅より大きくなるよう構成すると良い。
【００２８】
つまり、このように構成すれば、回収した廃現像剤が混入して、混色することを気にすることなく、廃現像剤の回収率を高くして、廃現像剤が、現像ユニットにより回収されずに、かぶりとなって画像へ悪影響を及ぼすことを確実に防止できる。
【００２９】
また、黒色の現像を行う現像ユニットにおける廃現像剤の回収率を高くすることにより、かぶりを起こすと画像に及ぼす悪影響が大きい黒色の廃現像剤を確実に回収することができる。
【００３０】
また、請求項１〜請求項６に記載の画像形成ユニットにおいて、各現像ユニットにおけるニップ幅を設定するための方法はいくつか考えられるが、その中の１つの方法として、請求項７に記載のように、各現像ユニットを、他の現像ユニットと比べてニップ幅が大きいほど、押圧手段による押圧力が大きくなるよう構成すると良い。
【００３１】
つまり、このように構成すれば、押圧手段による押圧力を大きくすることにより、現像剤担持体が押圧される力が大きくなり、現像剤担持体の弾性変形量を大きくして、ニップ幅を大きくすることができる。そして、押圧手段による押圧力の変化は、バネなどにより押圧するものであればこのバネのバネ定数を変えるなど、容易に設定でき、ニップ幅の設定及び変更を容易にすることができる。
【００３２】
また、請求項１〜請求項７に記載の画像形成装置において、各現像ユニットにおけるニップ幅を設定する別の方法として、請求項８に記載のように、各現像ユニットを、他の現像ユニットと比べてニップ幅が大きいほど、現像剤担持体の弾性率が小さくなるように構成すると良い。
【００３３】
つまり、このように構成すれば、現像剤持体の弾性率が低いほど所定の押圧力に対する現像剤担持体の弾性変形量が多くなってニップ幅が大きくなるため、ニップ幅を現像剤担持体の弾性率により設定することができる。よって、押圧手段を、像担持体に対する現像剤担持体の押圧力が一定のものとして、押圧手段として用いられるバネなどを一種類のものにでき、装置の構成を簡易にできる。
【００３４】
尚、押圧手段による押圧力の可変、及び、現像剤担持体の弾性率の可変の両方を行ってニップ幅を設定するものであっても良い。
ところで、請求項１〜請求項８に記載の画像形成装置において、各現像ユニットが、現像剤担持体と像担持体との間にバイアス電圧を印加するバイアス印加手段を備え、押圧手段によって現像剤担持体を像担持体へ押圧しつつ、相対移動させ、このバイアス印加手段にてバイアス電圧を印加することによって、静電潜像を現像剤により現像するよう構成される場合に、２番目以降の現像ユニットに備えられるバイアス印加手段の少なくとも１つが、印加するバイアス電圧を、１番目の現像ユニットのバイアス印加手段にて印加されるバイアス電圧より低くなるよう構成すると良い。
【００３５】
つまり、このように構成すれば、像担持体表面の静電潜像が形成されていない箇所と現像剤担持体との間の電位差が大きくなり、像担持体表面の静電潜像が形成されていない箇所に付着している廃現像剤が、像担持体表面から現像剤担持体へ移動されやすくできる。
【００３６】
これにより、本発明の画像形成装置は、ニップ幅を大きくすることにより向上される廃現像剤の回収率に加えて、現像ユニットでの廃現像剤の回収率を向上することができ、廃現像剤のかぶりによる画像への悪影響をより防止することができる。
【００３７】
また、本発明の画像形成装置は、ニップ幅を大きくすると現像ユニットにより現像を行う箇所の面積が広くなり形成される現像剤像の濃度が濃くなる傾向がある。一方、現像剤担持体と像担持体との間のバイアス電圧を低くすると、現像剤担持体と像担持体との間の電位差が低くなり、静電潜像が現像されにくくなるため、形成される現像剤像の濃度が薄くなる。このように、ニップ幅を大きくした現像ユニットに対して、現像剤担持体と像担持体との間のバイアス電圧を低くすることにより、最終的な画像としての濃度が大きく変わらないようにできる。
【００３８】
また、請求項１〜請求項９に記載の画像形成装置は、２番目以降の現像ユニットの少なくとも一つが、現像剤担持体が黒色の現像剤を担持して静電潜像を黒色の現像剤により現像するよう構成される場合、請求項１０に記載のように、黒色の現像剤により静電潜像を現像する現像ユニットに備えられるバイアス印加手段は、印加するバイアス電圧が、他の現像ユニットのバイアス印加手段にて印加されるバイアス電圧より低く構成すると良い。
【００３９】
つまり、このように構成すれば、請求項６に記載の画像形成装置と同様の理由で、回収した廃現像剤が混入して、混色することを気にすることなく、廃現像剤の回収率を高くして、廃現像剤が、現像ユニットにより回収されずに、かぶりとなって画像へ影響することを確実に防止できる。
【００４０】
また、請求項９又は請求項１０に記載の画像形成装置においては、請求項１１に記載のように、各現像ユニットに備えられるバイアス印加手段が、他の現像ユニットと比べてニップ幅が大きいほど、印加するバイアス電圧が低くなるよう構成すると良い。
【００４１】
つまり、このように構成すれば、ニップ幅が大きい現像ユニット、つまり廃現像剤の回収率を向上したい現像ユニットのバイアス電圧を低くすることとなり、より廃現像剤の回収率を向上したい現像剤ユニットでの廃現像剤の回収率を効率的に向上することができる。
【００４２】
また、請求項１〜請求項１１に記載の画像形成装置においては、廃現像剤の回収専用にクリーナが設けられたものであっても、このクリーナでの取りこぼしがあるため、現像ユニットで廃現像剤を回収することには、効果がある。しかし、請求項１２に記載のように、現像ユニットが、像担持体上の現像剤像が被転写部材に転写された後に像担持体上に残留している現像剤を、当該現像ユニットに回収すると同時に、像担持体上の静電潜像に現像剤を供給して現像を行う、現像同時クリーニング方式を行うよう構成すると良い。
【００４３】
つまり、このような構成であれば、クリーナを用いずに、現像ユニットにて確実に廃現像剤を回収する必要がある現像同時クリーニング方式（所謂クリーナーレス方式）での廃現像剤を確実に回収することができて良い。
【００４４】
また、請求項１３に記載された画像形成装置においては、静電潜像が表面に形成される像担持体と、所定の色の現像剤を担持し、弾性を有する現像剤担持体と、現像剤担持体を像担持体へ押圧する押圧手段とを有し、押圧手段によって現像剤担持体を像担持体へ押圧しつつ、相対移動させることによって、静電潜像を現像剤により現像するよう構成された複数の現像ユニットとを備え、各現像ユニットによって静電潜像を現像することにより像担持体に現像剤像を順次形成し、現像剤像を被転写部材に重ねて転写して多色画像を形成する画像形成装置であって、各現像ユニットは、静電潜像を現像する際に、現像剤担持体と像担持体とが接触するニップ部にて、静電潜像以外の像担持体表面に付着している現像剤を回収するよう構成され、現像剤像を形成する順番が２番目以降の現像ユニットの少なくとも１つは、押圧手段による現像剤担持体の像担持体に対する押圧力が、現像剤像を形成する順番が１番目の現像ユニットの押圧力より大きくなるよう構成されることを特徴としている。
【００４５】
従って、このように押圧力を大きくすることにより、像担持体と現像剤担持体との接触圧が強くなるので、２番目以降の少なくとも１つの現像ユニットのニップ部にて回収される廃現像剤の回収率を高くすることができ、かぶりの発生を防止することができる。
【発明を実施するための最良の形態】
【００４６】
以下に本発明の実施例を図面と共に説明する。
図１は、本発明が適用された画像形成装置としてのカラーレーザプリンタ１の概略側断面図である。図１に例示するカラーレーザプリンタ１は、制御部１００と、トナー像形成部４と、中間転写体５と、定着部８と、給紙部９と、排紙トレイ１０ｂとを備えている。
【００４７】
そして、トナー像形成部４は、マゼンタ（Ｍ）、シアン（Ｃ）、イエロー（Ｙ）、及びブラック（Ｂｋ）のそれぞれのトナーによるトナー像形成工程毎に、像担持体としての感光体ドラム３Ｍ，３Ｃ，３Ｙ，３Ｂｋと、帯電器７１Ｍ，７１Ｃ，７１Ｙ，７１Ｂｋと、レーザスキャナユニット７２Ｍ，７２Ｃ，７２Ｙ，７２Ｂｋと、現像ユニット５１Ｍ，５１Ｃ，５１Ｙ，５１Ｂｋとを備えている。そして、トナー像形成部４の構成要素それぞれは、図１に示すように、図中の上からマゼンタ、シアン、イエロー、ブラックの色の順番にトナー像を形成するように並べて配設されている。
【００４８】
また、これらの構成要素は、図２に示すブロック図のように、帯電バイアス印加回路１１０、現像バイアス印加回路１２０、転写バイアス印加回路１３０、露光制御回路１４０、及び、モータ駆動回路１５０を介して制御部１００に電気的に接続されている。
【００４９】
尚、トナー像形成部４の構成要素を、各色のトナー像を形成する順番で区分して呼ぶ場合に、便宜上、マゼンタトナー用の構成要素の名称には１番目と冠し、シアントナー用の構成要素の名称には２番目と冠し、イエロートナー用の構成要素の名称には、３番目と冠し、ブラックトナー用の構成要素の名称には、４番目と冠するものとする。
【００５０】
以下、これらの各構成要素について詳しく説明する。
まず、感光体ドラム３Ｍ，３Ｃ，３Ｙ，３Ｂｋは、円柱状のアルミニウム製の基材で構成され、その表面に正帯電性の感光層が形成されている。そして、アルミニウム製の基材は、アース層として用いられている。そして、モータ駆動回路１５０により駆動される図示しないモータにより図１中の反時計回りの方向に回転される。
【００５１】
また、帯電器７１Ｍ，７１Ｃ，７１Ｙ，７１Ｂｋは、スコロトロン型の帯電器であり、感光体ドラム３Ｍ，３Ｃ，３Ｙ，３Ｂｋの下方に、その表面に非接触で対向配置されて、図２に示すように帯電バイアス印加回路１１０によりバイアス電圧（約＋９００Ｖ）が印加されて感光体ドラム３Ｍ，３Ｃ，３Ｙ，３Ｂｋの表面を正極性に帯電する。
【００５２】
また、レーザスキャナユニット７２Ｍ，７２Ｃ，７２Ｙ，７２Ｂｋは、感光体ドラム３Ｍ，３Ｃ，３Ｙ，３Ｂｋと水平方向に重なるように配置されており、帯電器７１Ｍ，７１Ｃ，７１Ｙ，７１Ｂｋよりも、感光体ドラム３Ｍ，３Ｃ，３Ｙ，３Ｂｋの回転方向下流側において、露光制御回路１４０より入力される露光信号に応じたレーザ光を光源から出射し、ポリゴンミラーの鏡面などによりレーザ光を走査して、感光体ドラム３の表面へ照射することにより感光体ドラム３Ｍ，３Ｃ，３Ｙ，３Ｂｋの表面を露光する。これにより、感光体ドラム３Ｍ，３Ｃ，３Ｙ，３Ｂｋの表面上には、各色の静電潜像が形成される。尚、レーザ光が露光されて静電潜像が形成された箇所のドラムの表面電位は、＋１００Ｖ前後となる。
【００５３】
また、現像ユニット５１Ｍ，５１Ｃ，５１Ｙ，５１Ｂｋは、現像ユニットケース５５Ｍ，５５Ｃ，５５Ｙ，５５Ｂｋの中にトナーを収納するよう構成され、現像剤担持体としての現像ローラ５２Ｍ，５２Ｃ，５２Ｙ，５２Ｂｋと、供給ローラ５３Ｍ，５３Ｃ，５３Ｙ，５３Ｂｋと、層厚規制ブレード５４Ｍ，５４Ｃ，５４Ｙ，５４Ｂｋとを備えている。
【００５４】
この現像ローラ５２Ｍ，５２Ｃ，５２Ｙ，５２Ｂｋは、導電性シリコーンゴムや導電性ウレタンゴム等の弾性材料を基材として円柱状に構成され、更に、表面にフッ素を含有した樹脂又はゴム材のコート層が形成されている。
【００５５】
そして、現像ローラ５２Ｍ，５２Ｃ，５２Ｙ，５２Ｂｋには、現像バイアス印加回路１２０からバイアス電圧が印加される。このバイアス電圧は、１番目の現像ローラ５２Ｍへのバイアス電圧が一番大きく（約＋４００Ｖ）、２番目の現像ローラ５２Ｃが現像ローラ５２Ｍより小さく（約＋３９０Ｖ）、次に３番目の現像ローラ５２Ｙ（約３８０Ｖ）が小さく，４番目の現像ローラ５２Ｂｋ（約３７０Ｖ）が一番小さい。つまり、図３（ｂ）に示すように、バイアス電圧は、トナー像を形成する順番が後ほど小さくなっている。
【００５６】
また、供給ローラ５３Ｍ，５３Ｃ，５３Ｙ，５３Ｂｋは、導電性のスポンジローラで構成され、現像ローラ５２Ｍ，５２Ｃ，５２Ｙ，５２Ｂｋに対してスポンジの弾性力によって押圧接触するように配置されている。尚、供給ローラ５３Ｍ，５３Ｃ，５３Ｙ，５３Ｂｋとしては、導電性シリコーンゴム，ＥＰＤＭ，或いはウレタンゴム等の適宜の部材の発泡体を使用することができる。
【００５７】
また、層厚規制ブレード５４Ｍ，５４Ｃ，５４Ｙ，５４Ｂｋは、基端がステンレス鋼等で板状に形成されて現像ユニットケース５５Ｍ，５５Ｃ，５５Ｙ，５５Ｂｋに固定され、先端は絶縁性のシリコーンゴムや絶縁性のフッ素含有ゴム又は樹脂で形成されている。そして、層厚規制ブレード５４Ｍ，５４Ｃ，５４Ｙ，５４Ｂｋの先端は、現像ローラ５２Ｍ，５２Ｃ，５２Ｙ，５２Ｂｋの下方から現像ローラ５２Ｍ，５２Ｃ，５２Ｙ，５２Ｂｋに対して圧接される。
【００５８】
また、現像ユニットケース５５Ｍ，５５Ｃ，５５Ｙ，５５Ｂｋに収納されるトナーは、正帯電性の非磁性１成分現像剤であり、懸濁重合によって球状に形成したスチレン−アクリル系樹脂に、カーボンブラック等の周知の着色剤、及びニグロシン、トリフェニルメタン、４級アンモニウム塩等の荷電制御剤、又は、荷電制御樹脂を添加してなるトナー母粒子を有している。そして、各現像ユニットケース５５Ｍ，５５Ｃ，５５Ｙ，５５Ｂｋ毎に、それぞれマゼンタ、シアン、イエロー、ブラックのトナーが収容されている。
【００５９】
また、現像ユニット５１Ｍ，５１Ｃ，５１Ｙ，５１Ｂｋは、図１中の左右方向へ移動可能に保持されている。そして、前面カバー２０の現像ユニット５１Ｍ，５１Ｃ，５１Ｙ，５１Ｂｋとの対向位置には、それぞれ押圧手段としてのバネ部材２１，２２，２３，２４が設けられ、このバネ部材２１，２２，２３，２４が、現像ユニット５１Ｍ，５１Ｃ，５１Ｙ，５１Ｂｋを奥（図１の左方向）に押圧する。
【００６０】
そして、現像ユニット５１Ｍ，５１Ｃ，５１Ｙ，５１Ｂｋは、バネ部材２１，２２，２３，２４により押圧されることにより、現像ローラ５２Ｍ，５２Ｃ，５２Ｙ，５２Ｂｋが弾性変形して、感光体ドラム３Ｍ，３Ｃ，３Ｙ，３Ｂｋに押圧接触している。
【００６１】
尚、図４に例示した現像ローラ５２Ｍが、感光体ドラム３Ｍに押圧接触している状態のように、現像ローラ５２Ｍ，５２Ｃ，５２Ｙ，５２Ｂｋが変形して接触している部分をニップ部と呼び、このニップ部における現像ローラ５２Ｍ，５２Ｃ，５２Ｙ，５２Ｂｋの回転方向の幅をニップ幅と呼ぶ。そして、現像ローラ５２Ｍ，５２Ｃ，５２Ｙ，５２Ｂｋは、感光体ドラム３Ｍ，３Ｃ，３Ｙ，３Ｂｋと対向接触するニップ部分において、感光体ドラム３Ｍ，３Ｃ，３Ｙ，３Ｂｋと同じ方向に相対的に移動するように、すなわち、感光体ドラム３Ｍ，３Ｃ，３Ｙ，３Ｂｋと逆方向に、しかも異なる周速度（現像ローラの方が例えば、１．２〜１．４倍程速く）で回転するように回転駆動される。
【００６２】
また、バネ部材２１，２２，２３，２４は、コイルバネなどにより構成され、それぞれ異なる押圧力で現像ローラ５２Ｍ，５２Ｃ，５２Ｙ，５２Ｂｋを押圧する。このバネ部材２１，２２，２３，２４による押圧力は、図３（ａ）に示すように、１番目の現像ユニット５１Ｍに対するバネ部材２１の押圧力が一番小さく（約４．９Ｎ）、２番目の現像ユニット５１Ｃに対するバネ部材２２の押圧力が１番目の現像ユニット５１Ｍに対する押圧力より大きく（約６．８６Ｎ）なっており、続いて、３番目の現像ユニット５１Ｙに対するバネ部材２３の押圧力（約８．８２Ｎ），４番目の現像ユニット５１Ｂｋに対するバネ部材２４の押圧力（約１０．７８Ｎ）の順に大きくなっている。
【００６３】
これにより、現像ユニット５１Ｍ、５１Ｃ，５１Ｙ，５１Ｂｋに形成されるニップ部のニップ幅は、バネ部材２１，２２，２３，２４による押圧力に比例して、１番目の現像ローラ５２Ｍでのニップ幅が一番小さく（約０．４ｍｍ）、２番目の現像ローラ５２Ｃでのニップ幅が、１番目の現像ローラ５２Ｍの押圧力より大きく（約０．５ｍｍ）なっており、続いて、３番目の現像ローラ５２Ｙでのニップ幅（約０．６ｍｍ），４番目の現像ローラ５２Ｂｋでのニップ幅（約０．７ｍｍ）の順番に大きくなっている。つまり、ニップ幅は、現像ユニット５１Ｍ、５１Ｃ，５１Ｙ，５１Ｂｋによりトナー像を形成する順番に大きくなっている。
【００６４】
そして、現像ユニット５１Ｍ、５１Ｃ，５１Ｙ，５１Ｂｋは、現像ユニットケース５５Ｍ，５５Ｃ，５５Ｙ，５５Ｂｋに収納されるトナーを、供給ローラ５３Ｍ，５３Ｃ，５３Ｙ，５３Ｂｋから現像ローラ５２Ｍ，５２Ｃ，５２Ｙ，５２Ｂｋへ供給して、層厚規制ブレード５４Ｍ，５４Ｃ，５４Ｙ，５４Ｂｋによって摩擦帯電させて均一な薄層とする。それから、このトナーにより、現像ローラ５２Ｍ，５２Ｃ，５２Ｙ，５２Ｂｋのニップ部において、感光体ドラム３Ｍ，３Ｃ，３Ｙ，３Ｂｋ上に形成されたプラス極性（正帯電）の静電潜像を、現像ローラ５２Ｍ，５２Ｃ，５２Ｙ，５２Ｂｋに印加されたバイアス電圧により、反転現像方式で現像する。
【００６５】
また、中間転写体５は、ポリカーボネイトや、ポリイミド等の導電性のシートをベルト状に形成したものである。そして、中間転写体５は、図１に示すように、２つの駆動ローラ６０、６２に架け渡されており、感光体ドラム３Ｍ，３Ｃ，３Ｙ，３Ｂｋとの対向位置近傍には、転写ローラ６１Ｍ，６１Ｃ，６１Ｙ，６１Ｂｋが設けられている。この中間転写体５は、感光体ドラム３Ｍ，３Ｃ，３Ｙ，３Ｂｋと対向する側の表面の移動方向が、図１に示すように、鉛直方向上方向から下方向へ移動する方向に設定されている。
【００６６】
また、転写ローラ６１Ｍ，６１Ｃ，６１Ｙ，６１Ｂｋには、所定の電圧（転写バイアス）が印加されて、感光体ドラム３Ｍ，３Ｃ，３Ｙ，３Ｂｋ上に形成されたトナー像を中間転写体５へ転写するように構成されている。
【００６７】
また、トナー像を用紙Ｐへ転写する位置、すなわち中間転写体５に対して鉛直方向下方向におけるローラ６２には、２次転写ローラ６３が対向して設けられており、２次転写ローラ６３にも所定の電位（転写バイアス）が印加されている。その結果、ベルト状の中間転写体５上に坦持された４色のトナー像は、この間を通過する用紙Ｐに転写されることになる。
【００６８】
尚、中間転写体５の感光体ドラム３Ｍ，３Ｃ，３Ｙ，３Ｂｋとの対向側と反対の側には、図１に示すように、クリーニング器６が設けられている。クリーニング器６は、掻き取り部材６５と、ケース６６とから構成されており、中間転写体５上に残留したトナーを掻き取り部材６５によって掻き取り、ケース６６に収容する。
【００６９】
また、給紙部９は、装置の最下部に設けられており、用紙Ｐを収容する収容トレイ９１と、用紙Ｐを送り出すピックアップローラ９２とから構成されている。この給紙部９は、レーザスキャナユニット７２Ｍ，７２Ｃ，７２Ｙ，７２Ｂｋ、現像ユニット５１Ｍ，５１Ｃ，５１Ｙ，５１Ｂｋ、感光体ドラム３Ｍ，３Ｃ，３Ｙ，３Ｂｋ、及び中間転写体５による画像形成工程と所定のタイミングをとってピックアップローラ９２が駆動されて、用紙Ｐを供給する。そして給紙部９から供給された用紙Ｐは、搬送ローラ対２００によって中間転写体５と２次転写ローラ６３との圧接部に搬送される。
【００７０】
また、定着部８は、第１加熱ローラ８１と、第２加熱ローラ８２とから構成され、４色のトナー像を坦持した用紙Ｐを、第１加熱ローラ８１及び第２加熱ローラ８２によって狭持搬送しながら加熱及び加圧することにより、トナー像を用紙Ｐに定着させる。
【００７１】
また、装置の最上部には上面カバー１０が軸１０ａを中心に回動可能に設けられ、その上面カバー１０の一部が排紙トレイ１０ｂを構成している。排紙トレイ１０ｂは、定着部８の排紙側に設けられており、定着部８から排出され、搬送ローラ対２０１，２０２，２０３によって搬送される用紙Ｐを収容するように構成されている。
【００７２】
また、制御部１００は、図２に示すように、周知のＣＰＵ１０１，ＲＯＭ１０２，ＲＡＭ１０３を備えた周知のマイクロコンピュータで構成され、ＲＯＭ１０２に記憶されたプログラムに基づいて、接続された各構成要素に対する種々の制御処理を行う。
【００７３】
次に、上述のような構成のカラーレーザプリンタ１にて、外部に設けられたパーソナルコンピュータなどから制御部１００へ画像データが入力されたときに行われる印刷動作について説明する。
【００７４】
まず、感光体ドラム３Ｍ，３Ｃ，３Ｙ，３Ｂｋが回転されて、その中の１番目の感光体ドラム３Ｍの表面が、帯電器７１Ｍにより約＋９００Ｖに一様に帯電され、レーザスキャナユニット７２Ｍにより、外部から入力された画像データの内のマゼンタ色の情報に対応して露光される。これにより１番目の感光体ドラム３Ｍの表面に、露光された部分のみ電位が下がった（＋１００Ｖ前後）静電潜像が形成される。
【００７５】
次に、感光体ドラム３Ｍには、１番目の現像ユニット５１Ｍにおいて、供給ローラ５３Ｍから供給されたマゼンタトナーが、現像ローラ５２Ｍのニップ部にて、静電潜像が形成されて現像ローラ５２Ｍより電位が低くなっている箇所にのみ付着してトナー像が形成される。そして、このようにして形成された「＋」（正極性）に帯電されたトナー像は、１番目の感光体ドラム３Ｍが回転して中間転写体５に対向する位置にさしかかったときに、転写バイアス（約−１０００Ｖ）が印加された転写ローラ６１Ｍにより中間転写体５の表面上へ転写される。
【００７６】
次に、中間転写体５が回転されて、中間転写体５の表面に転写されたトナー像が、２番目、３番目、及び４番目の感光体ドラム３Ｃ，３Ｙ，３Ｂｋと対向する位置へ順番に搬送される。そして、１番目と同様の手順で感光体ドラム３Ｃ，３Ｙ，３Ｂｋの表面に形成されたトナー像が、転写ローラ６１Ｃ，６１Ｙ，６１Ｂｋにより中間転写体５の表面へ転写されたトナー像に重なるよう転写される。
【００７７】
それから、中間転写体５上に形成された４色のトナー像は、給紙部９から供給される用紙Ｐ上に、２次転写ローラ６３と中間転写体５との圧接位置において転写される。そして、この用紙Ｐは、定着部８に運ばれてトナー像が定着され、搬送ローラ対２０１，２０２，２０３によって搬送されて排紙トレイ１０ｂ上に排出される。以上のようにして、４色カラー画像が形成されることになる。
【００７８】
ところで、トナー像が中間転写体５に転写された後の感光体ドラム３Ｍ，３Ｃ，３Ｙ，３Ｂｋには、付着しているトナー（以降廃トナーと呼ぶ。）がある。この廃トナーとしては、転写ローラ６１Ｍ，６１Ｃ，６１Ｙ，６１Ｂｋによるトナー像の転写の際に、中間転写体５へ転写せずにそのまま残って付着している転写残によるものと、転写ローラ６１Ｃ，６１Ｙ，６１Ｂｋによるトナー像の転写の際に、中間転写体５から逆転写によるものとがある。
【００７９】
ここで、本実施例のカラーレーザプリンタ１において、このような廃トナーを、現像ユニット５１Ｍ，５１Ｃ，５１Ｙ，５１Ｂｋにて静電潜像の現像を行う際に、現像ユニットケース５５Ｍ，５５Ｃ，５５Ｙ，５５Ｂｋへ回収する動作について１番目の現像ユニット５１Ｍでの場合を例に説明する。
【００８０】
まず、感光体ドラム３Ｍに付着している廃トナーは、感光体ドラム３Ｍが回転されて帯電器７１Ｍと対向する位置を通過する際に、感光体ドラム３Ｍの表面と同じ電圧（約＋９００Ｖ）に帯電される。その後、レーザスキャナユニット７２Ｍによって感光体ドラム３Ｍの表面には、露光された部分のドラム表面電位が約＋１００Ｖの静電潜像が形成される。
【００８１】
そして、現像ユニット５１Ｍの現像ローラ５２のニップ部にて、感光体ドラム３Ｍの表面に形成された静電潜像の現像が行われる際に、感光体ドラム３Ｍの静電潜像が形成されず現像ローラ５２Ｍの電位（約＋４００Ｖ）より高い箇所から、廃トナーが現像ローラ５２Ｍに吸着される。そして、吸着された廃トナーは、供給ローラ５３Ｍを介して運ばれて、現像ユニットケース５５Ｍに回収される。
【００８２】
尚、現像ユニットケース５５Ｍに回収されたトナーは、一度、現像・転写の工程を経ており、この時にトナーの表面が欠けるなどして帯電性能が劣化しているため、帯電されにくく、現像ローラ５２Ｍまで運ばれないため、再び静電潜像の現像に用いられることは少ない（所謂選択現像）。
【００８３】
また、静電潜像が形成された箇所に付着していた廃トナーは、回収されずに中間転写体５に転写されてしまう。しかし、このような廃トナーは、静電潜像を現像したトナーが周りにあるため目立たず問題とならない。
【００８４】
同様に２番目の現像ユニット５１Ｃにおいても、現像ローラ５２Ｃにて廃トナーを吸着して回収する。但し、現像ユニット５１Ｃは、現像ローラ５２Ｃのニップ幅が、現像ローラ５２Ｍのニップ幅より大きくてニップ部の接触面積が広いため、現像ユニット５１Ｍより廃トナーの回収率が高い。また、現像ローラ５２Ｍより、現像ローラ５２Ｃの方が、印加されるバイアス電圧が低い、つまり、現像ローラ５２Ｃと感光体ドラム３Ｃの表面（つまり廃トナー）との電位差が大きいため、現像ユニット５１Ｍより現像ユニット５１Ｃの方が、更に感光体ドラム３Ｃに付着した廃トナーの回収率が高い。
【００８５】
また、同様に、ニップ幅、及び、バイアス電圧の関係より、２番目の現像ユニット５１Ｃより、３番目の現像ユニット５１Ｙ、３番目の現像ユニット５１Ｙより、４番目の現像ユニット５１Ｂｋの方が廃トナーの回収率が高い。
【００８６】
一方、各感光体ドラム３Ｍ，３Ｃ，３Ｙ，３Ｂｋに付着するトナーは次のようになる。
まず、１番目の感光体ドラム３Ｍには、中間転写体５へのトナー像の転写が行われる際に、中間転写体５へ転写せずにそのまま残って付着している転写残による廃トナーが付着している。
【００８７】
また、１番目の感光体ドラム３Ｍにて中間転写体５へのトナー像の転写が行われた後、中間転写体５には、「＋」（正極性）に帯電されたマゼンタトナーが主に付着しているが、中には、転写の際の放電電流などにより、マゼンタトナーの一部が正規の極性とは反対の極性（負極性）に帯電したトナー（逆帯電トナー）が付着している。
【００８８】
そして、この逆帯電トナーは、中間転写体５が移動されて、正極性に帯電された２番目の感光体ドラム３Ｃに対向する位置となると、この感光体ドラム３Ｃへ逆転写する。
また、２番目の感光体ドラム３Ｃに対向する位置に来るまでは正規の「＋」（正極性）に帯電していたマゼンタトナーが、２番目の感光体ドラム３Ｃの転写時において、転写の際の放電電流などにより極性が反転して「−」（負極性）に帯電したトナー（逆帯電トナー）となると同時に、２番目の感光体ドラム３Ｃへ逆転写することもある。
【００８９】
このように、２番目の感光体ドラム３Ｃには、シアントナーの転写残による廃トナーの他に、中間転写体５へ転写されたマゼンタトナーによる逆帯電トナーが逆転写されて付着している。
【００９０】
そして、２番目の感光体ドラム３Ｙからシアントナーが転写された後の中間転写体５には、マゼンタトナーによる逆帯電トナーの感光体ドラム３Ｃに逆転写されなかった分や、２番目の感光体ドラム３Ｃからトナー像が転写される際に、新たに生成されたマゼンタトナー及びシアントナーの逆帯電トナーが付着している。このため、３番目の感光体ドラム３Ｙには、イエロートナーの転写残による廃トナーと共に、中間転写体５に転写されたマゼンタトナー及びシアントナーによる逆帯電トナーが逆転写されて付着している。
【００９１】
同様に、４番目の感光体ドラム３Ｂｋには、ブラックトナーの転写残による廃トナーと共に、中間転写体５に転写されたマゼンタトナー、シアントナー及びイエロートナーによる逆帯電トナーが逆転写されて付着している。
【００９２】
このように、逆転写によるトナーは、感光体ドラム３Ｍ，３Ｃ，３Ｙ，３Ｂｋの内、中間転写体５に対して転写を行う順番が後ほど、中間転写体５上に付着する逆帯電トナーの量が多くなり、逆転写される量も多くなる。
【００９３】
以上のように、カラーレーザプリンタ１によれば、感光体ドラム３Ｍ，３Ｃ，３Ｙ，３Ｂｋにおける中間転写体５に対して転写を行う順番が後ほど増える廃トナーに対して、これに対応する現像ユニット５１Ｍ，５１Ｃ，５１Ｙ，５１Ｂｋのトナー像を形成する順番が後ほど、廃トナーの回収率が高くすることができる。これにより、廃トナーを取りこぼすことなく回収することができ、廃トナーが、そのまま放置されて、像担持体の一周後に、本来の画像とは関係無い位置で中間転写体５に転写されてしまうかぶりが発生し、形成する画像に影響を与えることを防止することができる。
【００９４】
また、バネ部材２１，２２，２３，２４の押圧力、及び、現像ローラ５２Ｍ、５２Ｃ，５２Ｙ，５２Ｂｋに対するバイアス電圧が、廃トナーの発生頻度に応じて変えてあり、廃トナーを効率的に回収することができる。また、全てバネ部材２４と同じバネ力として全ての現像器での回収率を向上させる場合よりも、バネ力が低い箇所の強度を下げることができ、装置構成を簡易にできる。
【００９５】
以上、本発明の実施形態について説明したが、本発明は上記の具体的な実施形態に限定されず、このほかにも様々な形態で実施することができる。
例えば、本実施例では、４つの感光体ドラム３Ｍ，３Ｃ，３Ｙ，３Ｂｋそれぞれにトナー像を形成する所謂タンデム方式により中間転写体５を用いて４色の画像を形成するカラーレーザプリンタ１に本発明が適用されたものについて説明したが、多色画像を形成する画像形成装置であればいずれであっても良く、１つの像担持体に順次トナー像を形成する４サイクル方式の画像形成装置に適用したものであっても良い。また、感光体ドラム３Ｍ，３Ｃ，３Ｙ，３Ｂｋに形成されたトナー像を転写するために中間転写体５を用いず、用紙Ｐに直接転写する直接転写方式の画像形成装置に適用したものであっても良い。また、４色の画像を形成するものに限らず、２色以上の多色画像を形成するものであれば、いずれのものであっても良い。
【００９６】
また、カラーレーザプリンタ１における感光体ドラム３Ｍ，３Ｃ，３Ｙ，３Ｂｋに対向する位置に、更に、廃トナーを回収するためにクリーナが設けられたものであっても良い。
【００９７】
このようなものであれば、クリーナーにより回収されなかった廃トナーを現像ユニット５１Ｍ，５１Ｃ，５１Ｙ，５１Ｂｋにて回収する２段構えとなり、より確実に廃トナーを回収することができる。
【００９８】
また、本実施例では、現像ローラ５２Ｍ，５２Ｃ，５２Ｙ，５２Ｂｋに形成されるニップ部のニップ幅が、トナー像を形成する順番に大きくなっているが、１番目の現像ローラ５２Ｍより、２番目以降の現像ローラ５２，Ｃ、５２Ｙ，５２Ｂｋのいずれか１つ以上のニップ幅が大きいものであれば、本発明の効果を得ることができる。例えば、２番目の現像ローラ５２Ｃにおけるニップ幅だけが、１番目の現像ローラ５２Ｍにおけるニップ幅より大きいものであっても良い。但し、２番目以降のものは回収する廃トナーの量が、逆転写による廃トナーの分だけ多いため、２番目以降の現像ローラ５２Ｃ，５２Ｙ，５２Ｂｋにおけるニップ幅が１番目の現像ローラ５２Ｍにおけるニップ幅より大きい方が好ましい。
【００９９】
特に、４つの現像ユニット５１Ｍ，５１Ｃ,５１Ｙ，５１Ｂｋの中で、回収する廃トナーが一番多くなる４番目の現像ローラ５２Ｂｋにおけるニップ幅が一番大きい方が好ましい。
【０１００】
また、部品の共通化として、１番目、２番目の現像ユニット５１Ｍ,５１Ｃにて同じバネ部材２１を用い、３番目、及び４番目の現像ユニット５１Ｙ，５１Ｂｋにてバネ部材２１より押圧力が大きくなるバネ部材２４を用いて、１番目と２番目の現像ユニット５１Ｍ，５１Ｃにおけるニップ幅が同じで、３番目と４番目の現像ユニット５１Ｙ，５１Ｂｋにおけるニップ幅を１番目と２番目の現像ユニット５１Ｍ，５１Ｃにおけるニップ幅より大きくしたものであっても良い。
【０１０１】
また、本実施例では、現像ローラ５２Ｍ，５２Ｃ，５２Ｙ，５２Ｂｋにて形成されるニップ幅を、現像ユニット５１Ｍ，５１Ｃ,５１Ｙ，５１Ｂｋを押圧するバネ部材２１，２２，２３，２４のバネ力をそれぞれ変えて設定しているが、現像ユニット５１Ｍ，５１Ｃ,５１Ｙ，５１Ｂｋの現像ローラ５２Ｍ，５２Ｃ，５２Ｙ，５２Ｂｋを、弾性率が各々違う現像ローラ５２１Ｍ，５２２Ｃ，５２３Ｙ，５２４Ｂｋとし、４つのバネ部材２１，２２，２３，２４を、全てバネ部材２１として現像ユニット５１Ｍ，５１Ｃ,５１Ｙ，５１Ｂｋの押圧力が一定に構成しても良い。
【０１０２】
尚、この現像ローラ５２１Ｍ，５２２Ｃ，５２３Ｙ，５２４Ｂｋそれぞれは、現像ローラ５２Ｍ，５２Ｃ，５２Ｙ，５２Ｂｋと同様の構成であり、その表面に形成されるコート層の膜厚がそれぞれ異なる。つまり、このコート層の膜圧を変えることにより硬度を変えて、弾性率を変化させている。この現像ローラ５２１Ｍ，５２２Ｃ，５２３Ｙ，５２４Ｂｋの硬度は、図５に示すように、現像ローラ５２１Ｍの硬度が一番高く（約４０°ＨＳ）、シアン用の現像ローラ５２２Ｃでの硬度がマゼンタ用の現像ローラ５２１Ｍでの硬度より低く（約３０°ＨＳ）なっており、続いて、イエロー用の現像ローラ５２３Ｙ（約２０°ＨＳ），ブラック用の現像ローラ５２４Ｂｋ（約１０°ＨＳ）の順番に低くなっている。
【０１０３】
このため、現像ローラ５２１Ｍ，５２２Ｃ，５２３Ｙ，５２４Ｂｋにて形成されるニップ部は、一定の押圧力に対して、硬度が低い程、つまり弾性率が低い程、ニップ幅が大きく形成される。
【０１０４】
このように構成すれば、バネ部材２１の１種類だけで、バネ部材２１，２２，２３，２４により押圧力を変えた場合と同様に、ニップ幅を設定することができ、装置の構成を簡易にできる。
【０１０５】
また、ブラックトナー用の現像ユニット５１Ｂｋは、トナー像を形成する順番が最後の４番目に配設されているが、２番目や３番目に配設されるものであっても良い。このとき、トナー像を形成する順番が最後で無くともニップ幅を一番大きくし、現像ローラ５２Ｂｋに対するバイアス電圧を一番低いものとすると良い。
【０１０６】
このように構成すれば、回収した廃トナーが現像ユニット５１Ｂｋに混入してもブラックトナーは混色することを気にする必要がなく、廃トナーの回収率を高くして、廃トナーが、かぶりとなって画像へ悪影響を及ぼすことを確実に防止できる。また、かぶりを起こすと画像に及ぼす悪影響が大きいブラックトナーを確実に回収することができる。
【図面の簡単な説明】
【０１０７】
【図１】本実施例の全体構成を表す概略断面図である。
【図２】本実施例の構成を表すブロック図である。
【図３】本実施例の現像ユニット毎の押圧力、ニップ幅及びバイアス電圧の関係を表すグラフである。
【図４】本実施例の現像ローラ５２Ｍと感光体ドラム３Ｍとの押圧接触状態を説明するための図である。
【図５】本実施例の現像ユニット毎の現像ローラの硬度の関係を表すグラフである。
【符号の説明】
【０１０８】
１，２…カラーレーザプリンタ、３Ｍ，３Ｃ，３Ｙ，３Ｂｋ…感光体ドラム、４…トナー像形成部、５…中間転写体、６…クリーニング器、８…定着部、９…給紙部、１０…上面カバー、２０…前面カバー、２１，２２，２３，２４…バネ部材、５１Ｍ，５１Ｃ，５１Ｙ，５１Ｂｋ…現像ユニット、５２Ｍ，５２Ｃ，５２Ｙ，５２Ｂｋ…現像ローラ、５３Ｍ，５３Ｃ，５３Ｙ，５３ＢＫ…供給ローラ、５４Ｍ，５４Ｃ，５４Ｙ，５４ＢＫ…層厚規制ブレード、５５Ｍ，５５Ｃ，５５Ｙ，５５ＢＫ…現像ユニットケース、６０…駆動ローラ、６１Ｍ，６１Ｃ，６１Ｙ，６１ＢＫ…転写ローラ、６２…ローラ、６３…２次転写ローラ、７１Ｍ，７１Ｃ，７１Ｙ，７１ＢＫ…帯電器、７２Ｍ，７２Ｃ，７２Ｙ，７２ＢＫ…レーザスキャナユニット、１００…制御部、１１０…帯電バイアス印加回路、１２０…現像バイアス印加回路、１３０…転写バイアス印加回路、１４０…露光制御回路、１５０…モータ駆動回路、２００，２０１,２０２…搬送ローラ対、Ｐ…用紙。
【図１】
2005208146.tif 000003
【図２】
2005208146.tif 000004
【図３】
2005208146.tif 000005
【図４】
2005208146.tif 000006
【図５】
2005208146.tif 000007